(57)【要約】  【課題】  ウエッブロール収納カセットを記録装置にセットすることにより被記録媒体の種類が検出され、以って適正な記録を行うことができるウエッブロール収納カセットを提供すること。  【解決手段】  下ケース１１ａの所定箇所に形成されている開口から露出しているロール幅用検出センサ部６３ｃと対向する本体ケース２の所定箇所には、図４に示すように、カセット検出用スイッチ６０が配置されており、ウエッブロール収納カセット１１の先端放出部が持ち上げられ、ウエッブロール収納カセット１１が前後移動不能となるセット状態に至ると、ロール幅検出用センサ部６３ｃがカセット検出用スイッチ６０を押下し、カセット検出用スイッチ６０を作動させる。このカセット検出用スイッチ６０の作動により、ウエッブロール収納カセット１１のセット状態及びウエッブロール２０の幅や種類が検出される。【選択図】    図４
2006036542.tif 000002
【特許請求の範囲】
【請求項１】
被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、
前記被記録媒体を巻回したコア体と、前記コア体を回転可能に支持する第一と第二のホルダ体とを備え、前記第一と第二のホルダ体は、連結部を介して連結され、前記第一のホルダ体は半径外向きに突出した突出部を備え、前記突出部は前記記録装置本体のカセット検出部に対する被検出部を備えたことを特徴とするウエッブロール収納カセット。  
【請求項２】
前記連結部は前記第一又は第二のホルダ体とは別体で構成されていることを特徴とする請求項１に記載のウエッブロール収納カセット。
【請求項３】
前記被記録媒体をロール状に巻回したウエッブロールの幅寸法が最も短い場合において、前記連結部は、前記第一及び第二のホルダ体の係合により構成されることを特徴とする請求項１に記載のウエッブロール収納カセット。
【請求項４】
被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、
前記被記録媒体を巻回したコア体と、前記コア体を回転可能に支持するホルダ体と、前記コア体に前記被記録媒体が巻回された状態のそれらの被記録媒体の幅方向の移動を規制する左右の規制部と、前記ホルダ体に突設され前記記録装置本体のカセット検出部に対する被検出部とを備えたことを特徴とするウエッブロール収納カセット。
【発明の詳細な説明】
【技術分野】
【０００１】
本発明は、サーマルヘッド等によるプリンティングのための記録装置に着脱自在に装着するロール紙等の被記録媒体を収納したウエッブロール収納カセットの構造に関する。
【背景技術】
【０００２】
本出願人は、記録装置の一例として、テープ状ラベル作成装置を提案し、実用化しているが、この装置は、特開平５−８４９９４号公報や特開平８−２３３６７５号公報に記載のように、キーボード、ディスプレイ、サーマル記録方式の記録機構を備えた記録装置本体と、記録テープとインクリボンとを収納したラベルカセットとからなり、記録装置本体のカセット収納部にラベルカセットを取り替え交換可能に装着できるように構成し、キーボード等にて入力したテキストのキャラクタやマークに基づいて、サーマルヘッドがインクリボンを介して記録テープに印字記録し、ファイルの背表紙等に貼着するのに適したラベルを作成することができるものである。
【０００３】
前記記録テープは、従来では６mm〜２４mm程度の細巾のものを使用していたが、近年ではさらに広幅の記録テープに記録し、例えば案内板とかプライスカードのごときものに使用することが所望されるようになった。そのため、本出願人は、先に、特願平８−２９４７１０号において、前記記録装置の本体ケース内に、広幅の被記録媒体をロール状に巻回したもの（以下、ウエッブロールという）をカセット内に予めセットし、このカセットを記録装置内に着脱自在に装着して、サーマルヘッドを被記録媒体の搬送方向と直交する方向に往復移動させながら印字・記録する構成を提案した。
【発明の開示】
【発明が解決しようとする課題】
【０００４】
しかしながら、この記録装置を使用して、葉書等の単票に印字・記録しようとするときには、一旦ウエッブロール収納カセットを取り外し、葉書等の単票を搭載したカセットを別途装着する必要があり、このための専用のカセットを別に準備する必要があった。
【０００５】
また、ロール状の被記録媒体の終端を感知して，紙が無くなることをユーザーに知らせるため、一般には、被記録媒体の一側寄り部位の終端側の一定区間内にエンドマークを予め印刷しておき、記録装置に配置したフォトセンサ等にて前記マークを感知するようにしていた。しかし、単票も使用するときには、別途のセンサにて単票の終端を感知する必要があり、センサを二重に設置しなければならず、コスト高となっていた。
【０００６】
本発明は、これらの問題を解決すべくなされたものであって、ウエッブロール収納カセットを記録装置にセットすることにより被記録媒体の種類が検出され、以って適正な記録を行うことができるウエッブロール収納カセットを提供することを目的とするものである。
【課題を解決するための手段】
【０００７】
前記目的を達成するため、請求項１に記載の発明は、被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、前記被記録媒体を巻回したコア体と、前記コア体を回転可能に支持する第一と第二のホルダ体とを備え、前記第一と第二のホルダ体は、連結部を介して連結され、前記第一のホルダ体は半径外向きに突出した突出部を備え、前記突出部は前記記録装置本体のカセット検出部に対する被検出部を備えたことを特徴としたものである。
【０００８】
また、請求項２に記載の発明は、請求項１に記載のウエッブロール収納カセットにおいて、前記連結部は前記第一又は第二のホルダ体とは別体で構成されていることを特徴としたものである。さらに、請求項３に記載の発明は、前記被記録媒体をロール状に巻回したウエッブロールの幅寸法が最も短い場合において、前記連結部が、前記第一及び第二のホルダ体の係合により構成されることを特徴としたものである。
【０００９】
また、請求項４に記載の発明は、被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、前記被記録媒体を巻回したコア体と、前記コア体を回転可能に支持するホルダ体と、前記コア体に前記被記録媒体が巻回された状態のそれらの被記録媒体の幅方向の移動を規制する左右の規制部と、前記ホルダ体に突設され前記記録装置本体のカセット検出部に対する被検出部とを備えたことを特徴としたものである。
【発明の効果】
【００１０】
以上説明したことから明らかなように、請求項１に記載の発明は、被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、
前記被記録媒体を巻回したコア体を回転可能に支持し、連結部によって連結された第一と第二のホルダ体を備え、その第一のホルダ体に半径外向きに突出した突出部を備え、その突出部に記録装置本体のカセット検出部に対する被検出部を備えたものである。
【００１１】
従って、このように構成されたウエッブロール収納カセットを記録装置にセットすることにより被記録媒体の種類が検出され、以って適正な記録がおこなわれるという効果を奏する。
【００１２】
また、請求項２に記載の発明は、請求項１に記載のウエッブロール収納カセットにおいて、更に第一又は第二のホルダ体と連結部が別体で構成されるため、被記録媒体の幅寸法に応じて対応する長さの連結部を用意すれば複数の幅寸法の被記録媒体に対応することができるという効果を奏する。
【００１３】
請求項３に記載の発明は、請求項１に記載のウエッブロール収納カセットにおいて、被記録媒体の幅寸法が最も短い場合に第一と第二のホルダ体を用いて被記録媒体を取り付けるように構成したものである。
【００１４】
従って、別体の連結部を用いることがなく第一および第二のホルダ体を互いに連結するだけでウエッブロールを使用することができるという効果を奏する。
【００１５】
そして、請求項４に記載の発明は、被記録媒体を搬送経路に沿って搬送する搬送手段と前記被記録媒体に印字する印字部と前記被記録媒体の種類を検出する検出部を備えてなる記録装置に、着脱自在に装着するウエッブロール収納カセットにおいて、被記録媒体を券回したコア体がホルダ体に回転可能に備えられ、被記録媒体の幅方向の移動を規制する規制部と、被記録媒体の種類を検出するための被検出部とを備えたものである。
【００１６】
従って、ユーザーは使用に際して組み立て等の手間が無く、ウエッブロール収納カセットをユニットとして一体的に取り扱えるとともに、そのまま記録装置に使用することができるという効果を奏する。
【発明を実施するための最良の形態】
【００１７】
次に、本発明を具体化した実施形態について説明する。本実施の形態の記録装置は、図１及び図２に示されているように、ひらがな、漢字、記号等の多数のキャラクタもしくはマーク等を、広幅もしくは細幅の被記録媒体（記録テープ）に印字するテープ印字装置１であって、このテープ印字装置１の本体ケース２内には、第１の被記録媒体としての細幅の被記録媒体Ｄ１に印字・記録するテープステーションＴＳと第２の被記録媒体としての広幅の被記録媒体Ｄ２に印字・記録するワイドステーションＷＴとの２箇所のステーションを有する。
【００１８】
キーボード３には、改行キー、ひらがな等のキャラクタ、記号等の文字キー、実行キーなどのファクションキー等が配置されている。キーボード３とテープ印字装置１とをケーブル４にて接続し、各種データや指令信号をテープ印字装置１内の制御部（図示せず）に伝送する。図１に示す本体ケースの右部位には液晶表示部等のディスプレイ５が設けられ、前記キーボード３から入力されたキャラクタ等が表示されると共に、各種指示も表示することができる。
【００１９】
本体ケース２の左部位に設けられた開閉可能なカバー体６を開いて、前記細幅の被記録媒体Ｄ１とインクリボンとを収納したテープカセット７を、テープステーションＴＳに位置させたキャリッジ８にセットし、キャリッジ８に設けられた印字部としてのサーマルヘッド１０と、サーマルヘッド１０に対して接離可能に構成されたプラテンローラ（図示せず）との間に被記録媒体Ｄ１とインクリボンとを搬送して印字し、インクリボンはテープカセット７内に巻き込み、被記録媒体Ｄ１を本体ケース２の左端の排出口９から放出する。このとき、排出口９近傍に配置されたカッター手段により被記録媒体Ｄ１を適宜長さに切断することができる。
【００２０】
本体ケース２内の右部位に位置するワイドステーションＷＴにて前記被記録媒体Ｄ２に印字・記録する場合、後述するように、広幅の被記録媒体Ｄ２をロール状に巻回したもの（以下、ウエッブロール２０という）が収納されたウエッブロール収納カセット１１を、本体ケース２の後部の装着部としての挿入口１２から着脱自在に装着することができる。ワイドステーションＷＴにおいて、前記被記録媒体Ｄ２に対してシリアル記録モードにて印字・記録するため、ウエッブロール収納カセット１１の先端から本体ケース２の前面の排紙口１３に向かってＸ方向に搬送される被記録媒体Ｄ２に対して直交する方向（Ｙ方向）にサーマルヘッド１０が移動しながら印字動作を実行する。そのため、前記カバー体６を開いて、単色もしくはカラーのインクリボンを収納したリボンカセット１４をキャリッジ８に取り替え自在に装着できるように構成されている。なお、被記録媒体Ｄ２が感熱紙である場合には、リボンカセット１４は不要であり、サーマルヘッド１０により直接的に印字・記録可能である。また、本体ケース２内の排紙口１３近傍には、被記録媒体Ｄ２を前記Ｙ方向に沿って切断するためのロータリ式カッター手段８１が配置されている（図１３（ａ）参照）。
【００２１】
前記サーマルヘッド１０及び必要に応じてリボンカセット１４を搭載したキャリッジ８はＹ方向に長いガイド軸１５に沿って移動可能に支持され、ステップモータ１６により駆動する駆動プーリ１８ａと従動プーリ１８ｂとに巻掛けられたタイミングベルト１７の一箇所に連結されたキャリッジ８は、前記Ｙ方向に沿って往復移動可能に構成されている。
【００２２】
キャリッジ８に搭載されたサーマルヘッド１０は、ウエッブロール収納カセット１１の先端寄り部位（放出部近傍）の上面に露出させた平板状のプラテン２１と対面するように配置されている。また、ウエッブロール収納カセット１１の先端部位の下方側には用紙搬送主ローラとしての駆動ローラ２２が後述する回動手段２４ｂを介して設けられ、上方側にはピンチローラ２３が位置固定的に配置され、駆動モータ及びギヤ等の搬送駆動機構２４ａにより前記駆動ローラ２２が回転駆動される。
【００２３】
次に、図３〜図１１を参照しながら、ウエッブロール収納カセット１１の構成について説明する。ウエッブロール収納カセット１１は、ウエッブロール２０の左右両側を着脱自在に支持する支持部２５，２６付の下ケース１１ａとウエッブロール２０の上方を覆うことができる収納空間部２７を有する上ケース１１ｂとからなり、両ケース１１ａ，１１ｂは合成樹脂材による射出成形により成形されている。
【００２４】
そして、下ケース１１ａには、図８に示すように、前記左右両側の支持部２５，２６に装着されたウエッブロール２０から引き出された部分の左右両側縁を案内するための側ガイド板２９，３０及び葉書等の単票の下面を案内するトレイ３１とプラテン２１とが配置されるノーズ部３２が備えられている。他方、上ケース１１ｂの前記収納空間部２７から延びる平坦部３３は前記側ガイド板２９，３０及びトレイ３１の上方を覆うように形成され、且つ前記プラテン２１の上方を露出する平面視ほぼ矩形状の開口部３４が形成されている。さらに、ノーズ部３２の先端寄り部位には、前記駆動ローラ２２が下面側から臨むことができる平面視矩形状の横長の貫通孔３５が上下方向に貫通するように形成され、平坦部３３にも、前記貫通孔３５の上側にて貫通孔３６が上下方向に貫通するように形成され、貫通孔３６の上方からピンチローラ２３が臨むことができるように構成されている（図５参照）。
【００２５】
ウエッブロール収納カセット１１は、前記収納空間部２７に近い側において、枢軸２８を中心にして下ケース１１ａに対して上ケース１１ｂが開閉可能に枢着され（図６参照）、ノーズ部３２と平坦部３３とが合わさった状態にて前記本体ケース２における挿入口１２から挿入するものとする。また、図５に示すように、前記ノーズ部３２と平坦部３３とが合わさった状態にてその両者の間に前記被記録媒体Ｄ２が挿通して前記両者の先端放出部から被記録媒体Ｄ２が放出される通路８０が形成されている。
【００２６】
図６及び図７に示すように、下ケース１１ａのノーズ部３２の左右両側には、係止爪体３７が各々外向き回動可能に枢支され、上ケース１１ｂの平坦部３３における左右両側下面に穿設される等した係止部３８に対して係止爪体３７の上部を左右中央方向に回動させるとき（図７の実線状態参照）、当該係止爪体３７の爪部３７ａが係合し、係止爪体３７の上部を左右外側に回動するとき（図７の二点鎖線状態参照）、前記爪部３７ａが係止部３８から外れるように構成されている。また、図３、図４、図６及び図７に示すように、下ケース１１ａの左右両側には、ウエッブロール収納カセット１１の挿入方向前端側が開放された略直線状で断面外向きコ字状の案内溝３９が前記ノーズ部３２に沿って形成され、該各案内溝３９の長手方向中途部には、下側に開放された切欠き部４０を有し、ウエッブロール収納カセット１１の挿入方向の後端側には、行き止まりのストッパー部４１を備え、このストッパー部４１には後述する横向き円柱状の後ガイド突起４６を着脱自在に係合する位置保持手段としての係止バネ板４２の基端がねじ４３等にて固定されている。
【００２７】
前記本体ケース２における挿入口１２の左右両側には、図３及び図４に示すように、ウエッブロール収納カセット１１の挿入方向に沿って長手のガイド枠４４が、ウエッブロール収納カセット１１の左右両側面とほぼ摺接するようにして配置固定されている。各ガイド枠４４には、ウエッブロール収納カセット１１における前記左右両側の案内溝３９に摺動自在に嵌挿できる前後一対のガイド突起手段として、ウエッブロール収納カセット１１の挿入方向の前部寄り部位に前ガイド突起４５と、これから後方向に適宜隔てた位置に後ガイド突起４６とを、当該後ガイド突起４６の設置高さ位置が前ガイド突起４５の設置高さ位置よりも高い位置となるようにして突設する（図４参照）。また、前ガイド突起４５と後ガイド突起４６との間隔は、前記後ガイド突起４６が前記ストッパー部４１にセットされた位置にて前ガイド突起４５が前記切欠き部４０の位置に臨むように設定する（図３及び図４参照）。さらに、少なくとも一方のガイド枠４４に設けた板ばね４７を前記ウエッブロール収納カセット１１の側面、好ましくは案内溝３９に摺接させて、当該ウエッブロール収納カセット１１が左右方向に振れないように拘束させるものである（図３参照）。
【００２８】
次に、ウエッブロール収納カセット１１の先端放出部側を前記ガイド突起手段に沿う挿入位置と、被記録媒体Ｄ２の搬送経路に沿う上昇位置とに選択的に回動させるための回動手段２４ｂの構成について説明する。図４に示すように、本体ケース２内には、搬送経路５９を挟んで上側に配置されたブラケット４８に、複数のピンチローラ２３の両端を回転自在に支持する支枠５０を上下動可能に装着させ、該支枠５０をばね４９にて下向き付勢する。前記搬送経路５９の下方には、枢軸５１に回転可能に枢支された支持アーム５２に、前記複数のピンチローラ２３と対峙する用紙搬送主ローラとしての長手の駆動ローラ２２を支持させる一方、前記支持アーム５２の背面に当接する押圧コロ５３を備えた作動アーム５４の基端を軸５５を中心に回動するようにレバー５６を備える。
【００２９】
また、図４に示すように、支持アーム５２には、駆動ローラ２２の支持位置から下方に延び、支持アーム５２の時計方向への回動時に、ウエッブロール収納カセット１１のノーズ部３２の先端部位下面に係合して、ウエッブロール収納カセット１１の先端部分を上方へ持ち上げる第１係合部５２ａと、枢軸５１近傍から上ケース１１ｂの先端部位上方へ延び、支持アーム５２の反時計方向への回動時に、上ケース１１ｂの先端部位上面に係合し、ウエッブロール収納カセット１１の先端部分を下方へ押し下げる第２係合部５２ｂとが一体形成されている。
【００３０】
次に、前記ウエッブロール収納カセット１１に対するウエッブロール２０の着脱自在な装着構造について説明する。図９に示すように、幅寸法Ｈ１のウエッブロール２０は、コア体としての紙管６１に巻回されており、左右一対のホルダ体６２、６３に対してウエッブロール２０を抜け不能且つ回転可能に装着するにあたり、一方のホルダ体６２の内径ボス部６２ａに弾性的に設けられた複数の係合爪６４は、紙管６１の内径部に嵌合する所定長さの連結管６５の一側部に穿設された複数の係合孔６６に係脱できる。また、前記連結管６５の他側部に弾性的に設けられた複数の係合爪６７は、他方のホルダ体６３の内径ボス部６３ａに穿設された複数の係合孔６８に係脱できるように構成されている。
【００３１】
連結管６５を介してウエッブロール２０の左右両側に配置されたホルダ体６２，６３は当該ウエッブロール２０の左右両側縁に近接し、この側縁を保護するものである。従って、ウエッブロール２０の幅寸法に応じて対応する長さの連結管６５を用意しておけば良い。また、ウエッブロール２０の幅寸法が最も短い場合には、一方のホルダ体６２における係合爪６４が他方のホルダ体６３における係合孔６８に対して前記紙管６１の内径部で係脱させれば良い。ウエッブロール２０が需要者に供給される状態では、連結管６５を介して連結された左右のホルダ体６２，６３の間にウエッブロール２０が配置されており、従って、一般に需要者はホルダ体６２，６３を外す必要性はなく、また、ウエッブロール２０の直径より大きい外径のホルダ体６２，６３と一体的に供給されることにより、ロール状の被記録媒体Ｄ２の左右両側縁が外部のものに当接して破損したりせず、ホルダ体６２，６３の少なくとも一方を非円形に形勢することにより、載置する箇所で転がらない効果を奏する。
【００３２】
一方のホルダ体６２の中心部から外向きに突出した支持ボス部６２ｂは、前記一方の支持部２６の上向き開放状の支持溝（図示せず）に上方から嵌合可能であり、他方のホルダ体６３の中心部から外向きに突出した支持ボス部６３ｂは、前記他方の支持部２５の上向き開放状の支持溝（図示せず）に上方から嵌合可能に構成され、左右両側のホルダ体６２，６３ごとウエッブロール２０を交換できるようにされている。前記一方の支持部２６と側ガイド板３０とは一体的に形成されており、ウエッブロール２０の幅寸法Ｈ１に応じて前記他方の支持部２５に対して遠近可能に横移動できるように構成され、その場合、側ガイド板３０の上端の突起ガイド（図示せず）が図８に示されたような上ケース１１ｂにおける平坦部３３の下面に形成されたガイド溝６９に沿って平行移動するように構成されている。
【００３３】
なお、図９及び図１０に示すように、前記ホルダ体６３の内径ボス部６３ａに回転自在に被嵌する大径のスリーブ７９から一体的に突出する係合爪部７９ａを前記ウエッブロール２０の内径の紙管６１の一側に切欠き形成された複数の凹所６１ａに嵌合させる一方、他方の支持部２６の近傍において、下ケース１１ａに基端をねじ７０にて固定した板ばね状のブレーキ体７１を前記スリーブ７９の外周面に摺接させることにより（図５参照）、ウエッブロール２０が不用意に回転しないように拘束される。
【００３４】
また、上ケース１１ｂにおける収納空間部２７には、ウエッブロール２０の最外周面に対して捩じりばね７３の付勢力により摺接押圧する被記録媒体Ｄ２の緩み止め体７２が複数配置されている（図５参照）。前記ブレーキ体７１及び緩み止め体７２は、ウエッブロール２０が不用意に回転しないように拘束したり、被記録媒体Ｄ２が緩まないように作用するだけではなく、それらの付勢力が、被記録媒体Ｄ２の搬送時には、搬送方向に対する負荷として作用する。従って、被記録媒体Ｄ２は、適度に張った状態で搬送されることとなり、精度良く搬送されることになる。
【００３５】
左右両ホルダ体６２，６３が回転不能に装着される構成として、ホルダ体６３の一側に半径外向きに突設したロール幅検出用センサ部６３ｃを下ケース１１ａの所定箇所に形成されている開口に嵌合させる。これにより、ロール幅検出用センサ部６３ｃがウエッブロール収納カセット１１の外に露出する。他の実施形態として、支持ボス部６２ｂ，６３ｂの外周面を異径に形成し、支持部２５，２６に対して各々回転不能に支持されるように構成しても良い。
【００３６】
さらに、前記左右両側のホルダ体６２，６３の外周面一側に突設した平面視Ｌ字状の規制片７４，７５により、ウエッブロール２０から巻き解かれる被記録媒体Ｄ２が両ホルダ体６２，６３の下方を通過するように規制され、ウエッブロール２０から引き出された被記録媒体Ｄ２を、その左右両側縁が側ガイド板２９，３０に沿うように装着することが容易に行える。この規制片７４，７５は、被記録媒体Ｄ２が不正規の経路で引き出されると干渉し、且つ上ケース１１ｂを閉じたときには引き出された被記録媒体Ｄ２の先端部を前記ウエッブロール収納カセット１１の先端放出部から後退させるように構成したものである。
【００３７】
被記録媒体Ｄ２は、上ケース１１ｂの下面に設けた案内回転軸７６の下面に摺接しながら開口部３４の箇所でプラテン２１の上面を通過し、ウエッブロール収納ケース１１の先端放出部から搬送経路５９に排出されるものである。次に、図６、図８、図１２及び図１３を参照しながら、ウエッブロール収納カセット１１内に収納されたウエッブロール２０から被記録媒体Ｄ２を引き出してセットする構成について説明する。ウエッブロール収納カセット１１の先端放出部における前記通路８０を開閉するためのシャッター８２は、縦片８２ａと底横片８２ｂとの間に横長の挿通開口８３を備えた断面Ｌ字状に形成されており、シャッター８２の左右両側片８２ｃは前記縦片８２ａ及び底横片８２ｂの左右両側端を連設するものであり、該左右両側片８２ｃに穿設された軸孔８４は、下ケース１１ａの左右両側の支軸８５ａ，８５ｂに回動自在に枢支され、一方の支軸８５ａに巻回した捩じりばね８６により常時は挿通開口８３が前記通路８０と一致せず、縦片８２ａて通路８０の前方が塞がれるように付勢されている（図１２（ａ）及び図１３（ｂ）の状態参照）。
【００３８】
そして、図示しない略水平状の当接片を前記縦片８２ａ等に連設して設け、前記回動手段２４ｂにてウエッブロール収納カセット１１の先端放出部側を搬送経路５９と一致するように上向き回動させるとき、本体ケース２内に下向きに突設した押当て体８７が前記当接片の上側を押して、図１２（ｂ）及び図１３（ａ）に示すように、縦片８２ａと底横片８２ｂと間の挿通開口８３が前記通路８０及び搬送経路５９と一致するようにシャッター８２を回動させるものである。
【００３９】
次に、前記構成による、ウエッブロール収納カセット１１へのウエッブロール２０の装着、位置決めセット作業、並びに記録装置１へのウエッブロール収納カセット１１の着脱操作について説明する。まず、本体ケース２から取り外したウエッブロール収納カセット１１の上ケース１１ｂを下ケース１１ａに対して、図６の二点鎖線で示すように収納空間部２７寄りの枢軸２８を中心にして開く。次いで、左右両ホルダ体６２，６３付のウエッブロール２０を下ケース１１ａの左右両支持部２５，２６に載置する。このとき、図５に示すように、被記録媒体Ｄ２がウエッブロール２０の下周面から引き出されるようにセットすると、左右両ホルダ体６２，６３における規制片７４，７５の下端側を前記引き出された被記録媒体Ｄ２が通過することになる。そして、下ケース１１ａと上ケース１１ｂとの前記先端放出部側は大きく開放されているので、前記引き出された被記録媒体Ｄ２の先端を前記シャッター８２の縦片８２ａに当接するまで延伸させた状態で、下ケース１１ａに対して上ケース１１ｂを閉じると、上ケース１１ｂの下面の案内回転軸７６にて被記録媒体Ｄ２の広幅面を若干押すことになるが、被記録媒体Ｄ２の先端が前記シャッター８２における縦片８２ａから離れても、前記通路８０中において貫通孔３５よりも搬送上流側に大きく後退することはなく、後述するように装着部にセットしたときにピンチローラ２３と駆動ローラ２２とによる挟持搬送が不能になることはない。
【００４０】
このように、被記録媒体Ｄ２をウエッブロール収納カセット１１の先端放出部側まで引き出しておき、前記先端放出部側を図３に示すように、本体ケース２における挿入口１２から左右両側のガイド枠４４，４４の間に差し込むにあたり、図４に示すように、ウエッブロール収納カセット１１の先端放出部側を若干下向きに傾斜させて押し込むと、両ガイド枠４４，４４の内面に突設した前後一対のガイド突起手段としての後ガイド突起４６及び前ガイド突起４５が順次案内溝３９の前端開放側から入り込む。そして、後ガイド突起４６が案内溝３９の後端におけるストッパー部４１に当接すると、後ガイド突起４６の上面が係止バネ板４２にて弾性的に係止される。前記後ガイド突起４６が前記ストッパー部４１にセットされた位置にて前ガイド突起４５が前記切欠き部４０の位置に臨み、ウエッブロール収納カセット１１の先端放出部は駆動ローラ２２の上方位置に臨むことになる。
【００４１】
次いで、レバー５６を図４の反時計回りに回動させると、作動アーム５４に取りつけられた押圧コロ５３を介して支持アーム５２を時計回りに回動させ、これにより支持アーム５２の第１係合部５２ａが前記ウエッブロール収納カセット１１の先端放出部を押し上げる。このとき、円柱状の後ガイド突起４６を箇所を中心にして反時計回りに回動し、前ガイド突起４５は案内溝３９の中途部下側の切欠き部４０に嵌まり込んで、ウエッブロール収納カセット１１は前後移動不能となる。前記レバー５６は、図示しない係止手段により、上位置にて固定される。
【００４２】
そして、ウエッブロール収納カセット１１の先端放出部が搬送経路５９に一致すると、本体ケース２側の押当て体８７にてシャッター８２を回動させ、当該シャッター８２における挿通開口８３が搬送経路５９と一致する（図１２（ｂ）及び図１３（ａ）参照）。ウエッブロール収納カセット１１を本体ケース２に装着した状態において、下ケース１１ａの所定箇所に形成されている開口から露出しているロール幅用検出センサ部６３ｃと対向する本体ケース２の所定箇所には、図４に示すように、カセット検出用スイッチ６０が配置されており、ウエッブロール収納カセット１１の先端放出部が持ち上げられ、ウエッブロール収納カセット１１が前後移動不能となるセット状態に至ると、ロール幅検出用センサ部６３ｃがカセット検出用スイッチ６０を押下し、カセット検出用スイッチ６０を作動させる。このカセット検出用スイッチ６０の作動により、ウエッブロール収納カセット１１のセット状態及びウエッブロール２０の幅や種類が検出される。
【００４３】
他方、図１３（ｂ）に図示するリミットスイッチ７８により被記録媒体Ｄ２の始端側を検出する。この状態では、図４の二点鎖線で示すように、ウエッブロール収納カセット１１における被記録媒体Ｄ２が搭載されたプラテン２１は、印字部であるサーマルヘッド１０に対峙して近接することになり、且つウエッブロール収納カセット１１の先端放出部に位置する被記録媒体Ｄ２の上下面はピンチローラ２３と駆動ローラ２２とで挟持されているので、被記録媒体の搬送不良は発生せず、印字動作を開始すると、サーマルヘッド１０は、Ｘ方向に搬送される広幅の被記録媒体Ｄ２に対して直交するＹ方向に往復移動しながら印字動作を実行することができる（図２参照）。
【００４４】
紙ジャムが発生した場合には、前記レバー５６を図４の時計回りに回動させて、ピンチローラ２３及び駆動ローラ２２による被記録媒体Ｄ２の拘束を解除すると共に、支持アーム５２を反時計方向に回動させて第２係合部５２ｂによりウエッブロール収納カセット１１の先端放出部を押し下げる。先端放出部が下向きに姿勢変更されたウエッブロール収納カセット１１を挿入部１２から引き出せば、詰まった被記録媒体Ｄ２を簡単に除去することができる。この場合、前記前ガイド突起４５は切欠き部４０から案内溝３９内に入るように復帰する。
【００４５】
このように、ウエッブロール収納カセット１１はその先端放出部側が挿入口１２の箇所において、下向きの傾斜姿勢であるときのみ、当該ウエッブロール収納カセット１１の着脱作業が可能となるので、ユーザーはウエッブロール収納カセット１１のセット位置（セット姿勢）を誤って操作することがない。ウエッブロール収納カセット１１の姿勢変更のための回動手段に駆動ローラ２２を設けることにより、被記録媒体Ｄ２の挟持搬送や挟持開放作業と、前記姿勢変更作業とが同時に実行でき、構造も簡単になるという効果を奏する。
【００４６】
そして、姿勢変更するウエッブロール収納カセット１１側にプラテン２１を設けることにより、被記録媒体Ｄ２を搬送するときに同時にプラテン２１が印字部に接近し、逆にウエッブロール収納カセット１１を着脱するときには、プラテン２１が印字部から離れているので、当該印字部での被記録媒体Ｄ２のジャム処理も簡単となると共にプラテン２１と印字部との接離機構を別途必要とせず、記録装置の構成が簡単になるという効果も奏する。
【００４７】
次に、図８及び図１４を参照しながら、一つのウエッブロール収納カセット１１を利用して、葉書等の単票９８（図１６参照）も選択的に供給できる構成について説明する。図１４、図１６に示すように、ウエッブロール収納カセット１１の後部には、前記収納空間部２７の下方に向かって単票９８を挿入供給できる供給口９０が穿設されている。他方、下ケース１１ａと上ケース１１ｂと間であって、前記ウエッブロール２０を収納できる収納空間部２７における下方から、前記プラテン２１が露出する開口部３４までの搬送空間９１内には、前記供給口９０側で低い位置にて軸９２に枢支されたトレイ３１が付勢バネ９３により自由端側を上向き付勢されて配置されている。前記トレイ３１の一側には、横向き突設した支持部３１ａを備える。他方、付勢力規制手段として、ウエッブロール２０の側面を保護するための一方のホルダ体６３における内径ボス部６３ａの外周に回動自在に被嵌した中継レバー９４の自由端側を前記支持部３１ａの上面に載置する。そして、上ケース１１ｂの下面に下向きに突設した押圧部９５は、前記支持部３１ａと中継レバー９４との交叉部以外の箇所（例えば、中継レバー９４の長手中途部等）で、当該中継レバー９４のみを下向きに押圧するように構成する（図８及び図１４参照）。  従って、左右両ホルダ体６２，６３付きのウエッブロール２０を前記両支持部２５，２６に搭載するときには、中継レバー９４の自由端を前記トレイ３１における支持部３１ａに載置し、上ケース１１ｂを閉じると、押圧部９５が中継レバー９４の中途部を下向きに押下し、その力が支持部３１ａに伝達されて、トレイ３１はその自由端側が付勢バネ９３の付勢力に抗して下降するから、搬送空間９１から開口部３４に引き出される被記録媒体Ｄ２の下面をトレイ３１にて抑圧する等の干渉かなく、ウエッブロール２０から被記録媒体Ｄ２が円滑に引き出される。
【００４８】
そして、図１５に示すように、ウエッブロール２０における被記録媒体Ｄ２の終端は、前記幅寸法Ｈ１より細幅寸法Ｈ２の連結片９６に接着剤、接着テープを介して接着させ、この連結片９６の他端を紙管６１に接着剤、接着テープを介して連結されている。この場合、図１５に示すように、連結片９６の少なくとも一方の側縁９６ａが被記録媒体Ｄ２の側縁Ｄ２′よりも幅方向中央寄り部位となるようにして連結することにより、紙管６１から被記録媒体Ｄ２が巻き戻されるとき、リミットスイッチ等の終端感知センサ７７が連結片９６を感知せず、被記録媒体Ｄ２の終端のみを感知できるように構成するものである。この終端感知センサ７７は、ウエッブロール収納カセット１１に設けても良いし、記録装置１側に配置しても良い。
【００４９】
さらに、図１６に示すように、ウエッブロール収納カセット１１の供給口９０の一側縁９０ａをトレイ３１が配置された側に接近させて配置し、単票９８の一側を前記一側縁９０ａにガイドさせつつ供給するように構成する。このように構成すれば、葉書等の単票９８に印字・記録したい場合には、一旦上ケース１１ｂを開けて、前記収納空間部２７からホルダ体６２，６３ごとウエッブロール２０を取り出す。これにより、中継レバー９４も除去されるから、その後上ケース１１ｂを閉じても押圧部９５はトレイ３１を下向きに押下することがなく、トレイ３１の自由端側は、前記開口部３４方向に向かうように付勢される。この状態で、供給口９２から単票９８を挿入すれば、トレイ３１の上面に案内された単票の先端側はプラテン２１上から、通路８０へと導かれるので、印字・記録しながら、ピンチローラ２２と駆動ローラ２３とにより、Ｘ方向に搬送でき、単票９８の終端を前記終端感知センサ７７にて検出できるから、印字・記録の終わりタイミングや、搬送駆動手段の駆動モータの作動終わりタイミングを設定することが容易となるのである。
【００５０】
他方、ウエッブロール２０から巻き戻された被記録媒体Ｄ２に印字・記録する場合にも、その巻き終わりの終端は前記連結片９６の細幅の箇所が終端感知センサ９７を通過することで、感知することができ、印字・記録の終わりタイミングや、搬送駆動手段の駆動モータの作動終わりタイミングを設定することが容易となるのである。
【００５１】
なお、前記連結片９６を省略し、被記録媒体Ｄ２の終端を細幅に切欠きいてその細幅部位をコア体としての紙管６１に直接接着剤もしくは接着テープを介して連結するように構成しても良い。付勢力規制手段の他の実施形態として、下ケース１１ａの側面、上ケース１１ｂの側面もしくは上面に選択レバー（図示せず）を回動可能に装着し、この選択レバーの回動位置によって、前記トレイ３１における支持部３１ａ等を押圧して、当該トレイ３１を付勢バネ９３の力に抗して下向きの位置に保持する状態と、トレイ３１から外れて、トレイ３１の自由端側が上向き回動する状態とに選択できるように構成しても良い。
【００５２】
本発明において、印字部はサーマルヘッドに限らず、インクジェット式等の印字ヘッド部であっても良い。
【図面の簡単な説明】
【００５３】
【図１】本発明の記録装置の一実施形態であるテープ印字装置及びウエッブロール収納カセットの斜視図である。
【図２】テープ印字装置の概略平面図である。
【図３】ウエッブロール収納カセットの装着部の一部切欠き平面図である。
【図４】図３のIV−IV線矢視断面図である。
【図５】図３のＶ−Ｖ線矢視側断面図である。
【図６】ウエッブロール収納カセットの側面図である。
【図７】図６のVII −VII 線矢視断面図である。
【図８】上ケースを除いた状態の下ケースの平面図である。
【図９】ウエッブロール、左右両ホルダ体及び連結管の斜視図である。
【図１０】ウエッブロールに左右両ホルダ体を装着した状態の断面図である。
【図１１】図１０のXI−XI線矢視一部切欠き断面図である。
【図１２】（ａ）はシャッターを閉じた状態の一部切欠き斜視図、（ｂ）はシャッターを開いた状態の一部切欠き斜視図である。
【図１３】（ａ）はシャッターを開いた状態の要部拡大側断面図、（ｂ）はシャッターを閉じた状態の要部拡大側断面図である。
【図１４】図８のＸIV−ＸIV線矢視断面図である。
【図１５】紙管６１に対する被記録媒体Ｄ２終端の装着部を示す図である。
【図１６】供給口を含むウエッブロール収納カセットの下ケースの要部一部切欠き平面図である。
【符号の説明】
【００５４】
Ｄ２      被記録媒体
２        本体ケース
１０        サーマルヘッド
１１        ウエッブロール収納カセット
１１ａ      下ケース
１１ｂ      上ケース
１２        挿入口
２０        ウエッブロール
２１        プラテン
２２        駆動ローラ
２３        ピンチローラ
２４ａ      搬送機構
２４ｂ      回動手段
２５，２６      支持部
３１        トレイ
３１ａ        支持部
３５，３６      貫通孔
３９        案内溝
４０        切欠き部
４１        ストッパー部
４２        係止バネ板
４５        前ガイド突起
４６        後ガイド突起
５６        レバー
５９        搬送経路
６２，６３      ホルダ体
７７        センサとしてのリミットスイッチ
８０        通路
９０        供給口
９１        搬送空間
９２        軸
９３        付勢バネ
９４        継レバー
９５        圧部
９６        結片
９８        票
【図１】
2006036542.tif 000003
【図２】
2006036542.tif 000004
【図３】
2006036542.tif 000005
【図４】
2006036542.tif 000006
【図５】
2006036542.tif 000007
【図６】
2006036542.tif 000008
【図７】
2006036542.tif 000009
【図８】
2006036542.tif 000010
【図９】
2006036542.tif 000011
【図１０】
2006036542.tif 000012
【図１１】
2006036542.tif 000013
【図１２】
2006036542.tif 000014
【図１３】
2006036542.tif 000015
【図１４】
2006036542.tif 000016
【図１５】
2006036542.tif 000017
【図１６】
2006036542.tif 000018